(57)【特許請求の範囲】
【請求項１】
接続箱本体に嵌合検知ピンを該接続箱本体の上端よりも高く突出させて設け、該接続箱本体に嵌合するアッパカバーに、該嵌合検知ピンの先端部を挿入させる嵌合検知孔を設け、該アッパカバーの不完全嵌合時に該嵌合検知ピンの先端面が該嵌合検知孔の上端よりも低く位置し、該アッパカバーの完全嵌合時に該嵌合検知ピンの先端面が該嵌合検知孔の上端と同一高さ又は該嵌合検知孔の上端よりも高く位置し、
前記接続箱本体が内壁と外壁とで成る二重壁と、該二重壁の間の隙間とを有し、該二重壁の間において前記嵌合検知ピンが配設されたことを特徴とする電気接続箱のアッパカバー嵌合検知構造。
【請求項２】
接続箱本体に嵌合検知ピンを該接続箱本体の上端よりも高く突出させて設け、該接続箱本体に嵌合するアッパカバーに、該嵌合検知ピンの先端部を挿入させる嵌合検知孔を設け、該アッパカバーの不完全嵌合時に該嵌合検知ピンの先端面が該嵌合検知孔の上端よりも低く位置し、該アッパカバーの完全嵌合時に該嵌合検知ピンの先端面が該嵌合検知孔の上端と同一高さ又は該嵌合検知孔の上端よりも高く位置し、
前記接続箱本体が、内壁と外壁とで成る二重壁と、該内壁から該接続箱本体の内側に向けて突出した凹壁と、該二重壁の間と該凹壁の内側との隙間とを有し、該凹壁と該外壁との間において前記嵌合検知ピンが配設されたことを特徴とするアッパカバー嵌合検知構造。
【請求項３】
前記接続箱本体と前記アッパカバーとに各ロック部が上下対向して設けられ、該アッパカバーのロック部における上板部に前記嵌合検知孔が設けられ、該上板部から内外の壁部が、請求項１記載の前記二重壁又は請求項２記載の前記凹壁と前記外壁に沿って垂下されたことを特徴とする請求項１又は２記載の電気接続箱のアッパカバー嵌合検知構造。
【発明の詳細な説明】
【技術分野】
【０００１】
本発明は、電気接続箱のアッパカバーの嵌合状態を嵌合検知ピンの目視ないし手感で検知させる電気接続箱のアッパカバー嵌合検知構造に関するものである。
【背景技術】
【０００２】
従来、電気接続箱のアッパカバーの不完全嵌合を検知又は防止するものとして、種々の構造が提案されている。
【０００３】
例えば、特許文献１には、合成樹脂製のアッパカバー及びロアカバーと、ロアカバー内に装着される内部部品とを備える電気接続箱において、両カバーの一方の係止部と被係止部及び両カバーの他方の係合部と被係合部とを係合ロックさせて両カバーを嵌合させる際に、アッパカバーが不完全嵌合である場合に、係合部と被係合部との間の隙間からカバーとは色違いの内部部品を目視して、アッパカバーの不完全嵌合を検知させることが記載されている。
【０００４】
また、特許文献２には、容器本体の内壁と外壁とで成る二重壁の間にアッパカバーの中壁をガイド部に沿って進入させて、カバーの係合枠部を容器本体の係合突起に係合させることが記載されている。
【０００５】
また、特許文献３には、アッパカバーと接続箱本体との一方の係止手段を支点にカバーを閉止方向に回動させ、係止手段が不完全係合である場合に、係止手段を延長部に当接させて、アッパカバーを傾けて、他方の係止手段の係合を行えないようにしたことが記載されている。
【先行技術文献】
【特許文献】
【０００６】
【特許文献１】特開２００９−１８２３０８号公報
【特許文献２】特開２００３−２１９５３９号公報
【特許文献３】特開２０１０−１２４５６０号公報
【発明の概要】
【発明が解決しようとする課題】
【０００７】
しかしながら、上記従来の各構造にあっては、アッパカバーと接続箱本体等とのロック（係止や係合）を前後ないし左右といった側部において行うために、例えば電気接続箱を自動車に搭載し、電気接続箱の周囲（前後左右）に他の部品等を取り付けた場合に、ロック部分や嵌合確認用の隙間（特許文献１）が隠れて、メンテナンス等においてアッパカバーが接続箱本体に完全に嵌合したか否かを目視等で確認することが困難になるという懸念があった。また、アッパカバーの嵌合検知のために電気接続箱の防水性が低下することは避けなければならないことであった。
【０００８】
本発明は、上記した点に鑑み、例えば車両等の狭いスペース内で電気接続箱が他の部品等で囲まれた場合でも、アッパカバーが接続箱本体に完全に嵌合したか否か（確実にロックされたか否か）を上方から簡単且つ確実に検知することができ、それに加えて電気接続箱の防水性を確保することのできる電気接続箱のアッパカバー嵌合検知構造を提供することを目的とする。
【課題を解決するための手段】
【０００９】
上記目的を達成するために、本発明の請求項１に係る電気接続箱のアッパカバー嵌合検知構造は、接続箱本体に嵌合検知ピンを該接続箱本体の上端よりも高く突出させて設け、該接続箱本体に嵌合するアッパカバーに、該嵌合検知ピンの先端部を挿入させる嵌合検知孔を設け、該アッパカバーの不完全嵌合時に該嵌合検知ピンの先端面が該嵌合検知孔の上端よりも低く位置し、該アッパカバーの完全嵌合時に該嵌合検知ピンの先端面が該嵌合検知孔の上端と同一高さ又は該嵌合検知孔の上端よりも高く位置し、前記接続箱本体が内壁と外壁とで成る二重壁と、該二重壁の間の隙間とを有し、該二重壁の間において前記嵌合検知ピンが配設されたことを特徴とする。
【００１０】
上記構成により、アッパカバーの上側面に嵌合検知孔が位置し、アッパカバーの嵌合時に嵌合検知孔に進入する嵌合検知ピンの先端面が上方から目視ないし手指で接触可能となる。目視ないし手感で、嵌合検知ピンの先端面が嵌合検知孔の上端と同一面にある場合、又は嵌合検知ピンの先端面が嵌合検知孔よりも上方に突出している場合に、アッパカバーの完全嵌合が検知され、嵌合検知ピンの先端面が嵌合検知孔の上端よりも下がっている（低い）場合に、すなわち、接続箱本体に対してアッパカバーが正規の嵌合位置よりも上側に位置する場合に、アッパカバーの不完全嵌合が検知される。
【００１２】
また、たとえ嵌合検知孔から嵌合検知ピンを伝わって水滴が浸入した場合でも、嵌合検知ピンが二重壁の間に位置するから、水滴が二重壁の間の隙間に落下して、接続箱本体の内側への水の浸入が防止される。嵌合検知ピンは二重壁の間の隙間と同等の径ないし隙間よりも小径に形成される。嵌合検知ピンは、内壁と外壁とを連結する垂直な連結リブの上端に立設されることが好ましい。
【００１３】
請求項２に係る電気接続箱のアッパカバー嵌合検知構造は、接続箱本体に嵌合検知ピンを該接続箱本体の上端よりも高く突出させて設け、該接続箱本体に嵌合するアッパカバーに、該嵌合検知ピンの先端部を挿入させる嵌合検知孔を設け、該アッパカバーの不完全嵌合時に該嵌合検知ピンの先端面が該嵌合検知孔の上端よりも低く位置し、該アッパカバーの完全嵌合時に該嵌合検知ピンの先端面が該嵌合検知孔の上端と同一高さ又は該嵌合検知孔の上端よりも高く位置し、前記接続箱本体が、内壁と外壁とで成る二重壁と、該内壁から該接続箱本体の内側に向けて突出した凹壁と、該二重壁の間と該凹壁の内側との隙間とを有し、該凹壁と該外壁との間において前記嵌合検知ピンが配設されたことを特徴とする。
【００１４】
上記構成により、アッパカバーの上側面に嵌合検知孔が位置し、アッパカバーの嵌合時に嵌合検知孔に進入する嵌合検知ピンの先端面が上方から目視ないし手指で接触可能となる。目視ないし手感で、嵌合検知ピンの先端面が嵌合検知孔の上端と同一面にある場合、又は嵌合検知ピンの先端面が嵌合検知孔よりも上方に突出している場合に、アッパカバーの完全嵌合が検知され、嵌合検知ピンの先端面が嵌合検知孔の上端よりも下がっている（低い）場合に、すなわち、接続箱本体に対してアッパカバーが正規の嵌合位置よりも上側に位置する場合に、アッパカバーの不完全嵌合が検知される。また、既存の接続箱本体の内壁と外壁とで成る二重壁の内壁に凹壁が部分的に設けられ（一体樹脂成形され）、凹壁の内側に嵌合検知ピンの径方向の一部分が収容される。嵌合検知ピンは外壁と凹壁との間隔の範囲で所望の太さに形成可能となる。例えば、凹壁の内側における内壁の一段低く形成された部分に嵌合検知ピンが立設される。あるいは、凹壁と内壁と外壁とを連結する垂直な連結リブに嵌合検知ピンが立設される。
【００１５】
請求項３に係る電気接続箱のアッパカバー嵌合検知構造は、請求項１又は２記載の電気接続箱のアッパカバー嵌合検知構造において、前記接続箱本体と前記アッパカバーとに各ロック部が上下対向して設けられ、該アッパカバーのロック部における上板部に前記嵌合検知孔が設けられ、該上板部から内外の壁部が、請求項１記載の前記二重壁又は請求項２記載の前記凹壁と前記外壁に沿って垂下されたことを特徴とする。
【００１６】
上記構成により、アッパカバーのロック部の上板部に嵌合検知孔が配置されたことで、アッパカバーと接続箱本体とのロック部相互の嵌合状態が直接（精度良く）、嵌合検知ピンと嵌合検知孔の係合で表示される。また、嵌合検知孔から浸入した水滴が、上板部から垂下された内外の壁部で内外への飛散なく隔離され且つ案内されて、接続箱本体の請求項１記載の二重壁の間の隙間又は請求項２記載の凹壁と外壁との間の隙間に確実に落下する。
【発明の効果】
【００１７】
請求項１記載の発明によれば、例えば車両等の狭いスペース内で電気接続箱が他の部品等で囲まれた場合でも、アッパカバーが接続箱本体に完全に嵌合したか否かを上方から作業性良く簡単にしかも簡素で低コストな構造で確実に検知することができる。
【００１８】
また、嵌合検知孔から浸入した水滴を二重壁の隙間に沿って落下させて、接続箱本体の内側への水滴の浸入を確実に防止して、接続箱本体内の電気部品のショート、リークや錆の発生を防ぐことができる。
【００１９】
請求項２記載の発明によれば、例えば車両等の狭いスペース内で電気接続箱が他の部品等で囲まれた場合でも、アッパカバーが接続箱本体に完全に嵌合したか否かを上方から作業性良く簡単にしかも簡素で低コストな構造で確実に検知することができる。また、既存の接続箱本体の一部分の形状を変えて（既存の樹脂成形金型の一部を変更して）、簡単に且つ低コストで太くて折れたり曲がったりすることのない嵌合検知ピンを形成することができ、太い嵌合検知ピンでアッパカバーの嵌合状態の検知精度を高めることができる。
【００２０】
請求項３記載の発明によれば、アッパカバーと接続箱本体とのロック部のロック状態（確実にロックされたか否か）を嵌合検知ピンと嵌合検知孔の係合で確実に検知することができる。また、嵌合検知孔から浸入した水滴を内外の壁部に沿って接続箱本体の二重壁の間や凹壁と外壁との間に確実に案内させて、防水性を高めることができる。
【図面の簡単な説明】
【００２１】
【図１】本発明に係る電気接続箱のアッパカバー嵌合検知構造の一実施形態を示す分解斜視図（円内は要部拡大図）である。
【図２】接続箱本体における嵌合検知ピンの配置構造の一形態を示す要部平面図である。
【図３】電気接続箱のアッパカバー嵌合検知構造を示す要部平面図である。
【図４】アッパカバーの不完全嵌合状態を示す、（ａ）は斜視図、（ｂ）は縦断面図（図３のＡ−Ａ相当断面図）である。
【図５】アッパカバーの完全嵌合状態の一形態を示す、（ａ）は斜視図、（ｂ）は縦断面図（図３のＡ−Ａ相当断面図）である。
【図６】アッパカバーの完全嵌合状態の他の形態を示す、（ａ）は斜視図、（ｂ）は縦断面図（図３のＡ−Ａ相当断面図）である。
【発明を実施するための形態】
【００２２】
図１〜図５は、本発明に係る電気接続箱のアッパカバー嵌合検知構造の一実施形態を示すものである。
【００２３】
図１の如く、電気接続箱１は、合成樹脂製のフレーム（接続箱本体）２と、フレーム２の上部に装着される合成樹脂製のアッパカバー３とを備え、フレーム２とアッパカバー３とはそれぞれ対向するロック部４，５を有し、フレーム２は、内壁６と外壁７とで成る二重壁８の間において上向きに突出した嵌合検知ピン９をロック部４の近傍に有し、アッパカバー３はロック部５において上下に貫通した嵌合検知孔１０を有している。
【００２４】
フレーム２の下部には合成樹脂製の不図示のロアカバーが装着される。フレーム２の下部外面にロアカバーに対するロック部１１が設けられている。フレーム２は上下に貫通した空間１２を有し、フレーム２内にはリレーやヒューズ等の不図示の電気部品を上面側に装着する各装着部１３を有する接続ブロック（カセット部）１４がフレーム２の下部開口から上向きに挿着される。
【００２５】
フレーム２は平面視で横長で略矩形状（図１で手前側の部分は幅広に、奥側は幅狭に）形成され、前後左右に垂直な内壁６と外壁７とで成る二重壁８を有し、外壁７は内壁６に垂直な連結リブ１５（図２）で連結されている。外壁７の上部７ａは外面に下側の段部７ｂを一体に有し、段部７ｂの上側に外壁７の薄肉の上部７ａが突出し、上部７ａは内壁６の上部６ａよりも少し低く位置している。外壁７には不図示の車両パネル等に対する取付固定用の取り付け足１７が一体に設けられている。図１で符号１７’は電線出口部を示す。
【００２６】
外壁７の上部外面にロック部４が設けられている。ロック部４は、前側の外壁７から立ち上げられた左右の垂直な幅狭の側板１８と、両側板１８を連結する前側の垂直な幅広の板部１９と、幅広の板部１９の上端内面に設けられた突起２０とで構成され、ロック部４の上半側はフレーム２の上端よりも上方に突出している。突起２０の左右端と左右の側板１８との間には溝１９ａが形成されている。
【００２７】
図１では前側のロック部４のみを示しているが、フレーム２の後側の外壁７にも同様な又は異なる形状のロック部４が設けられている。ロック部４は通常前後に計二つ又は四つ程度設けられる。明細書で前後左右の方向性は説明の便宜上のものである。
【００２８】
ロック部４の後側においてフレーム２の内壁６に凹壁２１が一体に形成され、凹壁２１は左右の垂直な幅狭の壁部２１ａと後側の垂直な幅広の壁部２１ｂとで成り、凹壁２１はフレーム２の内側空間１２に向けて突出し、凹壁２１の内側の空間（凹溝ないし隙間）２１ｃによって内壁６と外壁７との間の隙間２２が部分的に拡幅され、凹溝２１ｃ内に嵌合検知ピン９の径方向の一部（半分程度）が収容されている。
【００２９】
嵌合検知ピン９は横断面円形に形成され、外壁７と凹壁２１との間の垂直な連結リブ１５（図２）から垂直に且つ一体に立ち上げ形成され、内壁６や外壁７の上端よりも且つロック部４の上端よりも上方に高く突出している。嵌合検知ピン９の上端外周９ａは少しテーパ状に面取されている。
【００３０】
図２の如く、凹壁２１と内壁６と外壁７とは垂直な連結リブ１５で連結され、凹壁２１の内側で内壁６は一段低く形成され、凹壁２１の上端は内壁６の上端と同一高さであり、連結リブ１５の上端は一段低い内壁部分６’の上端と同じ高さであり、連結リブ１５と一段低い内壁部分６’とは十字に直交し、連結リブ１５と一段低い内壁部分６’との直交部の上端に嵌合検知ピン９が立設されている。内壁６と外壁７とは所要箇所の他の連結リブ３４でも連結して補強され、内壁６と外壁７との間の隙間２２と、凹壁２１と一段低い内壁部分６’との間の隙間２１ｃとはフレーム２の下端まで貫通し、嵌合検知ピン９を伝わって各隙間２２，２１ｃに入った水滴はフレーム２の下側の不図示のロアカバーに落下し、ロアカバーの水抜き孔から外部に排出される。
【００３１】
なお、図２において、一段低い内壁６’を排除して、外壁６と凹壁２１とを連結リブ１５で直接連結し、連結リブ１５の上端の長手方向の所要（所望）の位置に嵌合検知ピン９を立設することも可能である。また、連結リブ１５を排除して、一段低い内壁６’の上端に嵌合検知ピン９を立設することも可能である。
【００３２】
図１の如く、アッパカバー３は、フレーム２の形状に合わせて横長に形成され、水平な天壁（上壁）２３と前後左右の周壁（側壁）２４とで成り、周壁２４はフレーム２の高さ違いの二重壁（内壁６が外壁７よりも高い）に合わせて上下二段に形成され、上段部２４ａの内側にフレーム２の内壁６の上部６ａが収容され、下段部２４ｂの内側に外壁７の上部７ａが収容される。
【００３３】
フレーム２のロック部４の上側に対向してアッパカバー３の前側の側壁２４にロック部５が設けられている。ロック部５は、側壁２４に直交した左右の垂直な板部（保護壁）２５と、左右の板部２５の間で側壁２４の上部から天壁２３のほぼ延長上に水平に鍔状に突出した上板部２６と、上板部２６から下向きに垂下された可撓性のアーム板２７と、アーム板２７の下端外面に設けられた突起２８とを備えるものである。
【００３４】
ロック板２７の内側には撓み空間２９（図４）が設けられ、撓み空間２９は矩形状の上部開口（型抜き孔）２９ａに連通し、上板部２６に、嵌合検知ピン９の先端部（上端部）９ｂを進入係合させる円形の嵌合検知孔１０が設けられている。
【００３５】
図３の如く、フレーム２にアッパカバー３を正規に嵌合させた状態で、アッパカバー３のロック部５がフレーム２のロック部４に完全係合し、フレーム２の嵌合検知ピン９がアッパカバー３の嵌合検知孔１０に完全係合する。
【００３６】
図４（ａ）（ｂ）は、フレーム２にアッパカバー３が不完全嵌合（半嵌合）した状態を示すものであり、アッパカバー３の前側の壁部２４が低く、後側の壁部（図示せず）が高く位置して、アッパカバー３が前下がりに傾斜した状態となっている。フレーム２とアッパカバー３との前側の各ロック部４，５の突起２０，２８同士は隙間なく当接係合し、不図示の後側の各ロック部が不完全係合となっている。
【００３７】
この状態で、嵌合検知ピン９の先端（上端）９ｂは嵌合検知孔１０の下端側に位置し、嵌合検知ピン９の先端面９ｂと嵌合検知孔１０の上端（上端縁）１０ａすなわちロック部５の上板部２６の上面との間に段差（窪み）３０を生じ、作業者は目視ないし手指の感触で段差（窪み）３０を容易に認識することができ、アッパカバー３の不完全嵌合を容易に且つ確実に検知することができる。
【００３８】
図４（ｂ）の如く、嵌合検知孔１０はアッパカバー３のロック部５の内側における平行な前後（内外）の壁部３１，３２で仕切られた空間３３に連通しており、前壁（外壁）３２は後壁（内壁）３１よりも下向きに上板部２６の前端から長く垂下形成され、且つ断面略クランク状（Ｌ字状）に屈曲した下端部３２ａを有し、後壁３１は上板部２６の後端から真直に垂下形成され、前壁３２の下端部３２ａはフレーム２の外壁７の前面側に不完全に嵌合し、後壁３１の下端部３１ａは内壁６の前面側に不完全に嵌合して正規位置（図５）よりも高く位置している。図４の内壁６は図１の凹壁２１の後壁部２１ｂである。図４（ｂ）は図３の矢視Ａ−Ａに相当する位置の断面である。
【００３９】
図５（ａ）（ｂ）は、フレーム２にアッパカバー３が完全嵌合した状態の一形態を示すものであり、嵌合検知ピン９の先端面９ｂが嵌合検知孔１０の上端縁１０ａすなわちアッパカバー３のロック部５の上板部２６の上面と同一水平面に位置し、作業者は目視ないし手指の感触で嵌合検知ピン９の先端９ｂと嵌合検知孔１０の上端縁１０ａとに段差（図４の符号３０）のないことを容易に認識することができ、アッパカバー３の完全嵌合を容易に且つ確実に検知することができる。
【００４０】
垂直なフレーム２に対してアッパカバー３は水平に完全嵌合し、アッパカバー３のロック部５の内側における前後（内外）の壁部３１，３２は垂直に位置して、フレーム２の外壁７と内壁６とに嵌合している。すなわち、前壁（外壁）３２の断面Ｌ字状に屈曲した下端部３２ａがフレーム２の外壁７の外面に若干の隙間を存して接し、且つ外壁７の下側の段部７ｂに当接係合し、後壁（内壁）３１の真直な下端部３１ａがフレーム２の内壁６の外面にほぼ隙間なく接触する。前壁３２の下端部３２ａは図１のアッパカバー３の下側の段部２４ｂに連続する。
【００４１】
また、アッパカバー３のロック部５の突起２８はフレーム２のロック部４の突起２０に若干の隙間（余裕代）を存して完全係合している。ロックに際してはロック板２７が内向きに撓んでロック板２７の下端の突起２８がフレーム２のロック部４の上端の突起２０を乗り越え、ロック板２７の復元と同時に両突起２０，２８が係合する。ロック板２７と前壁３２との間にロック板２７の撓み空間２９が位置する。図５（ａ）のロック板２７の左右両側の保護板２５の下半の前向きの突出部分２５ａがフレーム２のロック部４の突起２０と左右の幅狭の板部１８との間の溝１９ａに係合する。
【００４２】
嵌合検知ピン９の上端部（符号９ｂで代用）の外周面は嵌合検知孔１０の内周面に殆ど隙間なく接触する。嵌合検知ピン９を伝わって水滴が侵入した場合でも、フレーム２の内壁６と外壁７との間の隙間２２や凹壁２１の内側の隙間２１ｃに沿って水滴を落下させることで、フレーム２の内側空間１２すなわちフレーム内のリレーやヒューズ等の電気部品への水の浸入が防止される。内壁６と外壁７と凹壁２１は防水壁として機能する。水滴は隙間２２，２１ｃからフレーム２の下側の不図示のロアカバーの孔部を経て外部へ排出される。
【００４３】
図６（ａ）（ｂ）は、フレーム２にアッパカバー３が完全嵌合した状態の他の形態を示すものであり、嵌合検知ピン９’は図５の例の嵌合検知ピン９よりも長く形成され、アッパカバー３の完全嵌合時に、嵌合検知ピン９’の先端部９ｂが嵌合検知孔１０を貫通してアッパカバー３の上板部２６から上向きに外部に少し突出する。作業者は嵌合検知ピン９の先端９ｂが嵌合検知孔１０から完全に突出したことを目視ないし手指の感触で簡単且つ確実に認識することができ、アッパカバー３の完全嵌合を容易に且つ確実に検知することができる。
【００４４】
その他の構成は図５におけると同様であるので図５と同じ符号を付して詳細な説明を省略する。嵌合検知孔１０からの嵌合検知ピン９の先端部９ｂの突出量はアッパカバー３の上板部２６の板厚の半分程度ないしそれ以下であり、手指で確実に嵌合検知ピン９の突出を認識できるものであればよい。
【００４５】
図５及び図６の例はともに、嵌合検知ピン９の先端９ｂを上向きにアッパカバー３の天壁２３側に位置させるものであるので、電気接続箱１を車両のエンジンルーム等の狭いスペースに配置した（電気接続箱１の前後左右に他の部品等が配置されている）場合でも、作業者は嵌合検知ピン９の先端９ｂの突出の有無や凹み３０（図４）を目視ないし手指で容易に且つ確実に認識して、フレーム２へのアッパカバー３の嵌合不完全を容易に且つ確実に検知することができる。
【００４６】
なお、上記実施形態においては、内壁６の内側に凹壁２１を設けて太めの嵌合検知ピン９を配置したが、図１の実施形態よりも細い嵌合検知ピン（９）を用いた場合には、凹壁２１のない内壁６と外壁７との間に嵌合検知ピン（９）を配置可能である。その場合、嵌合検知ピン（９）は、内壁６と外壁７とを連結する連結リブ（１５）に立設されることが好ましい。
【産業上の利用可能性】
【００４７】
本発明に係る電気接続箱のアッパカバー嵌合検知構造は、車両等における前後左右を他の部品等で囲まれた狭いスペースに電気接続箱を搭載した際に、アッパカバーが完全に閉止されたか否かを上方からの嵌合検知ピンの先端の目視や触手によって簡単且つ確実に検知し、それに加えて電気接続箱の防水性を確保するために利用することができる。
【符号の説明】
【００４８】
１          電気接続箱
２          フレーム（接続箱本体）
３          アッパカバー
４，５      ロック部
６          内壁
７          外壁
８          二重壁
９          嵌合検知ピン
９ｂ        先端面
１０        嵌合検知孔
１０ａ      上端
２１        凹壁
２６        上板部
３１，３２  前後（内外）の壁部
【図１】
0005755906.tif 000002
【図２】
0005755906.tif 000003
【図３】
0005755906.tif 000004
【図４】
0005755906.tif 000005
【図５】
0005755906.tif 000006
【図６】
0005755906.tif 000007